(57)【特許請求の範囲】
【請求項１】
取付対象物に取り付けられる取付ブラケットに、後端部を第１関節回りに水平姿勢と直立姿勢にわたって回動自在に枢着した台保持体と、この台保持体の先端に第２関節回りに回動自在に物品支持台継手を介して枢着された物品支持台と、前記台保持体と前記物品支持台の間に備えられたロック手段とを備えており、前記ロック手段は、前記物品支持台および前記台保持体がそれぞれ水平姿勢のとき台保持体が直立姿勢方向に第１関節回りに回動するのをロックし、前記物品支持台を水平姿勢から一方向に第２関節回りに回動させることで前記台保持体のロック状態を解除して該台保持体が第１関節回りに直立姿勢方向に回動するのを許容するように構成してあることを特徴とする、物品支持具。
【請求項２】
前記ロック手段は、前記台保持体上にスライダーを前記第１関節と前記第２関節との間にわたって移動自在に且つ常にばね部材で第２関節方向に移動付勢するように備え、該スライダーの第１関節側の後端に設けた被係止部を前記スライダーの移動に伴って前記取付ブラケット側に設けた係止部に係脱自在とし、かつ前記スライダーの前記第２関節側の先端に設けた被当接部を前記物品支持台継手に設けたスライダー受け部に当接させており、前記物品支持台が水平姿勢から一方向に回動するに伴い前記スライダーが前記ばね部材で第２関節方向に移動して前記被係止部の前記係止部との係合状態を解除するようにしてある、請求項１記載の物品支持具。
【請求項３】
前記取付ブラケットを複写機本体の正面側に取り付け、前記物品支持台上に表示パネルを搭載してある、請求項１又は２記載の物品支持具。
【発明の詳細な説明】
【技術分野】
【０００１】
本発明は、物品を支持するための物品支持具に関し、例えば複写機本体に表示パネルを支持するのに好適な物品支持具に関するものである。
【背景技術】
【０００２】
例えば、複写機本体の上面に凹部を設け、この凹部に液晶等の表示パネルを埋設したものがある（例えば、特許文献１参照。）。
【０００３】
【特許文献１】特開２００５−９９１０１号公報
【発明の開示】
【発明が解決しようとする課題】
【０００４】
しかるに、複写機本体の上面の凹部に表示パネルを埋設する仕様では、老眼や視力の弱い人向けに表示パネルを大型化し、これを複写機本体の上面に埋設するとなると、複写機本体自体も大型化しなければならないという不利不便がある。
【０００５】
そこで、例えば、図５のように表示内容が見やすいように大型化した表示パネル４０を支持する物品支持具４１を複写機本体４２とは別に用意し、この物品支持具４１を複写機本体４２の正面側上部にヒンジ４３を介して取り付けることが考えられる。これによれば、表示パネル４０を大型化しても複写機本体４２自体は大型にしなくて既存の大きさで済む。しかし、この場合、使用時や不使用時に表示パネル４０および物品支持具４１が複写機本体４２から前方へ大きく突出する取付け状態にあると、他物が当たったり、邪魔になったりするため、この対策として物品支持具４１は複写機本体４２に対しコンパクトに納まる取付け方に工夫が必要である。そのために、使用時には表示パネル４０を見やすくかつ邪魔になることのないように複写機本体４２に対しできる限り近接配置する状態に備え、また不使用時には物品支持具４１を、例えば、ヒンジ４３回りに矢印Ｙ方向に折り畳んで表示パネル４０ごと複写機本体４２の正面側にコンパクトに納めることが望まれる。
【０００６】
しかしながら、使用時に上記のように表示パネル４０を複写機本体４２に対しできる限り近接配置する状態に備えておくと、不使用時に物品支持具４１を、図５に矢印Ｙで示す方向に回動させて複写機本体４２の正面側にコンパクトに立てかけようとしても、表示パネル４０の複写機本体側端縁４０ａが複写機本体４２に干渉して物品支持具４１を矢印Ｙ方向に回動させることができないという問題が生じる。
【０００７】
そこで、本発明は、このような問題を解決するためになされたもので、取付対象物である複写機本体等を大型化しなくても表示パネル等の物品のみの大型化を可能にし、そのうえ不使用時には取付対象物に対しコンパクトに納めることのできる物品支持具を提供することを目的とする。
【課題を解決するための手段】
【０００８】
本発明の物品支持具は、請求項１に記載のように、その発明の内容を理解しやすくするために図１〜図４に付した符号を参照して説明すると、所望の取付対象物に取り付けられる取付ブラケット２に、後端部を第１関節３回りに水平姿勢と直立姿勢にわたって回動自在に枢着した台保持体４と、この台保持体４の先端に第２関節５回りに回動自在に物品支持台継手２０，２１を介して枢着された物品支持台６と、台保持体４と物品支持台６の間に備えられたロック手段７とを備えており、ロック手段７は、物品支持台６および台保持体４がそれぞれ水平姿勢のとき台保持体４が直立姿勢方向に第１関節３回りに回動するのをロックし、物品支持台６を水平姿勢から一方向に第２関節５回りに回動させることで台保持体４のロック状態を解除して該台保持体４が第１関節３回りに直立姿勢方向に回動するのを許容するように構成してあることに特徴を有するものである。
【０００９】
このように構成された物品支持具によれば、ロック手段７が、物品支持台６を水平姿勢から一方向に第２関節５回りに回動させることで台保持体４のロック状態を解除して該台保持体４が第１関節３回りに直立姿勢方向に回動するのを許容するように構成されているので、使用時に物品支持台６に搭載する物品を取付対象物にできる限り接近配置させておいても、不使用時には物品支持台６を水平姿勢から一方向に第２関節５回りに回動させることにより物品支持台６上の物品が取付対象物と干渉することなく、また台保持体４を第１関節３回りに直立姿勢方向に回動させて直立姿勢にすることができて物品支持具を取付対象物に対しコンパクトに納めることができる。
【００１０】
請求項１記載の物品支持具は、請求項２に記載のように、ロック手段７は、台保持体４上にスライダー２５を第１関節３と第２関節５との間にわたって移動自在に且つ常に第２関節方向にばね部材２６で移動付勢するように備え、該スライダー２５の第１関節側の後端に設けた被係止部２５ａをスライダー２５の移動に伴って取付ブラケット２側に設けた係止部２７に係脱自在とし、かつスライダー２５の第２関節側の先端に設けた被当接部２５ｂを物品支持台継手２１に設けたスライダー受け部２８に当接させており、物品支持台６が水平姿勢から一方向に回動するに伴いスライダー２５がばね部材２６で第２関節方向に移動して被係止部２５ａの係止部２７との係合状態を解除するようにした構成を採用することができる。
この構成によると、物品支持台６を水平姿勢から一方向に第２関節５回りに回動させることによりスライダー２５を介して台保持体４のロック状態を確実に解除でき、台保持体４を第１関節３回りに直立姿勢方向に確実に回動させることができる。
【００１１】
請求項１又は２記載の物品支持具は、請求項３に記載のように、取付ブラケット２を複写機本体９の正面側に取り付け、物品支持台６上に表示パネル３４を搭載した構成を採用することができる。この構成によると、使用時に表示パネル３４を複写機本体９の正面側にできる限り接近配置させて備えておいても、不使用時には表示パネル３４および台保持体４を複写機本体９に対しコンパクトな直立姿勢に納めることができる。
【発明の効果】
【００１２】
本発明によれば、取付対象物である複写機本体等を大型化しなくても表示パネル等の物品のみを大型化することができ、そのうえ不使用時には取付対象物に対しコンパクトに納めることができる。
【発明を実施するための最良の形態】
【００１３】
以下、本発明に係る物品支持具の好適な実施例を図面に基づき説明する。図１は本発明の一実施例を示す物品支持具を上面から見た斜視図、図２は同物品支持具を底側から見た斜視図、図３は同物品支持具の断面図、図４（ａ）〜（ｅ）は同物品支持具の使用状態から不使用状態までの変化過程を示す側面図である。
【００１４】
図１〜図３に示すように、本発明に係る物品支持具１は、所望の取付対象物に取り付けられる取付ブラケット２に、後端部を第１関節３回りに水平姿勢と直立姿勢にわたって回動自在に枢着した台保持体４と、この台保持体４の先端に第２関節５回りに回動自在に枢着された物品支持台６と、台保持体４と物品支持台６間に備えられたロック手段７とを備えてなる。
【００１５】
取付ブラケット２は取付孔８を有し、例えば、図４（ａ）に示すように取付対象物である複写機本体９の正面側上部などにビス１０等で取付孔８を介して取り付けられる。
【００１６】
台保持体４は、図２のように、上面板１１と、この上面板１１の左右両側端に連設した側板１２，１３を有し、左右の両側板１２，１３の各後端部を取付ブラケット２の左右両側端に付設した各ブラケット継手１４，１５に重ね合わせ、それぞれの重合部を第１関節３で回動自在に枢着している。第１関節３は、互いに重ね合わせた台保持体４の側板１２，１３と取付ブラケット２のブラケット継手１４，１５に挿通する頭１６ａ付き枢軸１６と、この頭付き枢軸１６の頭１６ａ側とは反対側に設けた雄ねじ１６ｂに複数枚の皿ばね１７を介して締め付けるナット１８とからなる。台保持体４は取付ブラケット２に対し図４（ａ）（ｂ）に示す水平姿勢と図４（ｃ）〜（ｅ）に示す直立姿勢とにわたって第１関節３回りに９０度回動自在であり、皿ばね１７による摩擦力で任意角度に停止保持できる。
【００１７】
物品支持台６は、図２のように、台板１９と、この台板１９の左右両側端に付設した物品支持台継手２０，２１を有し、左右の物品支持台継手２０，２１を台保持体４の左右の両側板１２，１３の各先端部に重ね合わせ、それぞれの重合部を第２関節５で回動自在に枢着している。第２関節５は、互いに重ね合わせた台保持体４の左右の側板１２，１３と物品支持台継手２０，２１とに挿通する頭２２ａ付き枢軸２２と、この頭付き枢軸２２の頭２２ａ側とは反対側に設けた雄ねじ２２ｂに複数枚の皿ばね２３を介して締め付けるナット２４とからなる。物品支持台６は台保持体４に対し第２関節５回りに１８０度回動自在であり、皿ばね２３による摩擦力で任意角度に停止保持できる。
【００１８】
ロック手段７は、図３、図４（ａ）のように物品支持台６および台保持体４がそれぞれ水平姿勢のとき、台保持体４が直立姿勢方向に第１関節３回りに回動するのをロックし、図４（ｂ）のように物品支持台６を水平姿勢から一方向に第２関節５回りに回動させることで台保持体４のロック状態を解除して、該台保持体４が第１関節３回りに図４（ｃ）に示すごとき直立姿勢方向に回動するのを許容するように構成してある。
【００１９】
ロック手段７は、具体的には、図２、図３に示すように、台保持体４上にスライダー２５を第１関節３と第２関節５との間にわたって前後方向に移動自在に且つ常にばね部材２６で第２関節方向（前方向）に移動付勢するように備え、該スライダー２５の第１関節側の後端に設けた被係止部２５ａを該スライダー２５の前後方向移動に伴って取付ブラケット２のブラケット継手１４の外周に切欠して設けた係止部２７に係脱自在とし、かつスライダー２５の第２関節側の先端に設けた被当接部２５ｂを、円弧部２０ａと直縁部２０ｂを有する形の物品支持台継手２０の直縁部２０ａに設けたスライダー受け部２８に当接させており、物品支持台６が水平姿勢から一方向に回動するに伴いスライダー２５がばね部材２６で第２関節方向（前方向）に移動して被係止部２５ａの係止部２７との係合状態を解除するようにしてある。
【００２０】
台保持体４上にスライダー２５を第１関節３と第２関節５との間にわたって前後方向に移動自在に且つ常にばね部材２６で第２関節方向（前方向）に移動付勢するように備える手段としては、図３に示すように、スライダー２５に長孔２９，３０を前後に開口し、その長孔２９，３０を台保持体４の一側板１２の内面に前後に植設した固定ピン３１，３２に摺動自在に嵌め込んでスライダー２５を第１関節３と第２関節５との間にわたって前後方向に移動自在とする。一方、引張コイルばね等からなるばね部材２６の一端部２６ａを前側の固定ピン３１に、ばね部材２６の他端部２６ｂをスライダー２５上の前後長孔２９，３０間の中間部位に植設したばね受けピン３３にそれぞれ係合させてスライダー２５を常に第２関節方向（前方向）に移動付勢する。
【００２１】
上記構成の物品支持具１は、例えば、図４（ａ）のように、複写機本体９に取付ブラケット２を介して取り付けられ、物品支持台６には物品である表示パネル３４が搭載される。その取付けに際しては、取付ブラケット２を複写機本体９の正面側の上部に取り付けて台保持体４を水平姿勢に保持し、また物品支持台６も水平姿勢に保持している。使用時には、物品支持台６に搭載される表示パネル３４を見やすくかつ邪魔になることのないように、表示パネル３４はこれの複写機本体側端縁３４ａが複写機本体９に対しできる限り近接配置する状態に配備させておく。
【００２２】
不使用時、または台保持体４を立てかけて使用する時には、図４（ｂ）のように物品支持台６を矢印Ｂで示す一方向に或る角度θ（例えば、３０度）だけ回動させると、表示パネル３４の複写機本体側端縁３４ａが複写機本体９と干渉することなく、また図２のようにスライダー２５がばね部材２６で第２関節方向に移動して被係止部２５ａは係止部２７との係合状態を解除するため、台保持体４を第１関節３回りに矢印Ｃ方向（図４（ｂ）参照）に回動させて図４（ｃ）のように直立させることができる。そのとき、表示パネル３４が複写機本体９に干渉するおそれがある場合は物品支持台６を第２関節５回りに矢印Ｂ方向に破線Ｆで示すように回動させながら台保持体４を第１関節３回りに矢印Ｃ方向に回動させて直立させればよい。この台保持体４の直立姿勢状態の下で、物品支持台６を台保持体４と直交する姿勢に矢印Ｂ方向に回動させた状態が図４（ｄ）に示され、この状態で使用することもできる。また、物品支持台６を更に矢印Ｂ方向に全体的に１８０度回動させた状態が図４（ｅ）に示され、この状態が不使用時の納まり状態である。ただし、図４（ｅ）の状態でも表示パネル３４をみることができるため、この状態で使用することもできる。
【００２３】
物品には複写機の表示パネル３４が好適であるが、それ以外の物品にも適用でき、同様に取付対象物は複写機本体９に限られず、その他のものであってもよいことは言うまでもない。
【図面の簡単な説明】
【００２４】
【図１】本発明の一実施例を示す物品支持具を上面から見た斜視図である。
【図２】同物品支持具を底側から見た斜視図である。
【図３】同物品支持具の断面図である。
【図４】（ａ）〜（ｅ）は同物品支持具の使用状態から不使用状態までの変化過程を示す側面図である。
【図５】比較例の物品支持具の側面図である。
【符号の説明】
【００２５】
１  物品支持具
２  取付ブラケット
３  第１関節
４  台保持体
５  第２関節
６  物品支持台
７  ロック手段
９  複写機本体（取付対象物の一例）
２０，２１  物品支持台継手
２５  スライダー
２５ａ  被係止部
２５ｂ  被当接部
２６  ばね部材
２７  係止部
２８  スライダー受け部
３４  表示パネル（物品の一例）
【図１】
0005007180.tif 000002
【図２】
0005007180.tif 000003
【図３】
0005007180.tif 000004
【図４】
0005007180.tif 000005
【図５】
0005007180.tif 000006